(57)【要約】      （修正有）【課題】シンクの三角コーナに替る生ごみ投入具等として適用できて、製造コストを低廉に抑えられ、長期間使用しても網袋の開口を水平面内に保持できる、バスケット形容器を提供する。【解決手段】バスケット形容器１Ａは、網袋１０を支持する短円筒の網袋支持枠２０Ａと、一端を網袋支持枠２０Ａに連結され網袋支持枠２０Ａをほぼ水平に支持する支持部３０Ａと、支持部３０Ａの他端に連結された吸盤４０Ａと、網袋支持枠２０Ａに被さる蓋５０Ａを備えてなる。網袋支持枠２０Ａは、丈の短い環状に形成された周壁部２１と該周壁部の上端に形成されたフランジ部２２とを有するプラスチック成形体であり、さらに前記周壁部２１の外面に、周方向にほぼ等配置となるように３つ以上の縦リブ２３を有し、かつ、各縦リブの下端に前記網袋の網目に入り込み該網袋を係止する尖端部２３ａを有する。【選択図】図２
0003143331.tif 000002
【実用新案登録請求の範囲】
【請求項１】
網袋を支持する網袋支持枠と、一端を前記網袋支持枠に連結され前記網袋支持枠を支持する支持部と、前記支持部の他端に連結された吸盤と、を備え、
前記網袋支持枠は、丈の短い環状に形成された周壁部と該周壁部の上端に形成されたフランジ部とを有するプラスチック成形体であり、さらに前記周壁部の外面に、周方向にほぼ等配置となるように３つ以上の縦リブを有し、かつ、各縦リブの下端に前記網袋の網目に入り込み該網袋を係止する尖端部を有する、
ことを特徴とするバスケット形容器。
【請求項２】
前記支持部が、二股フックを有し、フック部を前記網袋支持枠の周壁部に水平配置に設けられた２つの小孔に差し込み、かつ、フック先端を前記網袋支持枠の内周面に密着させた状態で、前記網袋支持枠を水平に支持するように設けられている、
ことを特徴とする請求項１に記載のバスケット形容器。
【請求項３】
前記支持部が、前記網袋支持枠の外面に密着する先端壁部を有し、該先端壁部より突設された係止突起を前記網袋支持枠の周壁部に２つ以上設けられた縦長小孔に差し込み、かつ、上方にスライドされることにより該縦長小孔にロックした状態で、前記網袋支持枠を水平に支持するように設けられている、
ことを特徴とする請求項１に記載のバスケット形容器。
【請求項４】
前記網袋支持枠に被さる蓋を備えた、
ことを特徴とする請求項１又は２に記載のバスケット形容器。
【請求項５】
前記蓋が、前記網袋支持枠に対して取り外し自在かつ揺動開閉自在に設けられている、
ことを特徴とする請求項１又は２に記載のバスケット形容器。
【考案の詳細な説明】
【技術分野】
【０００１】
本考案は、網袋をその開口を開いた状態に張ることができ、シンクの三角コーナに替る生ごみ投入具として、また、風呂場で髪の毛その他のごみを入れる生ごみ投入具として、さらに、風呂場で石鹸を入れてぶら下げておき網袋の外から石鹸を使用する石鹸収容網具として、適用できるバスケット形容器に関するものである。
【背景技術】
【０００２】
シンクの三角コーナに替る生ごみ投入具として、特許文献１にシンク用生ごみ投入具が開示されている。特許文献１の図１４〜図１６に示すシンク用生ごみ投入具は、網袋と、網袋をその開口を開いた状態に張ることができる支持部とからなり、支持部は、針金製の円輪、支持棒と、吸盤とからなり、円輪には複数の小フック状爪が突設され、網袋の上方辺を円輪の内側から外側に折曲げ網目を小フック状爪に係止するよう構成されているので、網袋の交換が容易に行える。
【０００３】
【特許文献１】実用新案登録第３０７８６５５号公報
【考案の開示】
【考案が解決しようとする課題】
【０００４】
しかしながら、特許文献１に記載されたシンク用生ごみ投入具によれば、円輪と支持棒が針金製であるから使用する針金を太くしないと、投入した生ごみの重さで支持棒が撓み、網袋の開口を水平面内に保持できない。また、円輪と支持棒とは溶接され、円輪に下側に小フック状爪を溶接するものであるから、製作に時間がかかり、量産性が低いので製作コストが高くつく。また、円輪と支持棒が針金製であるから網袋内の生ゴミにショウジョウ蝿が付着するのを防ぐための蓋を取り付けることができない、等の問題点がある。
【０００５】
本考案は、上述した点に鑑みなされたものであり、その目的とするところは、部品点数が少なく頑丈な構造で、金型製作が容易な形状であり量産性を有し製造コストを低廉に抑えられ、使用に際しては、使い捨ての網袋をその開口を開いた状態に張ること及び取り外しを容易に行うことができて、ヌメリが生じにくく、長期間使用しても網袋の開口を水平面内に保持できるバスケット形容器を提供しようとするものである。
【課題を解決するための手段】
【０００６】
上記目的を達成するために、本考案は、網袋を支持する網袋支持枠と、一端を前記網袋支持枠に連結され前記網袋支持枠を支持する支持部と、前記支持部の他端に連結された吸盤と、を備え、前記網袋支持枠は、丈の短い環状に形成された周壁部と該周壁部の上端に形成されたフランジ部とを有するプラスチック成形体であり、さらに前記周壁部の外面に、周方向にほぼ等配置となるように３つ以上の縦リブを有し、かつ、各縦リブの下端に前記網袋の網目に入り込み該網袋を係止する尖端部を有するバスケット形容器としたことを特徴とする。
【０００７】
本考案は、前記支持部が、二股フックを有し、フック部を前記網袋支持枠の周壁部に水平配置に設けられた２つの小孔に差し込み、かつ、フック先端を前記網袋支持枠の内周面に密着させた状態で、前記網袋支持枠を水平に支持するように設けられていることが好ましい。
また、本考案は、前記支持部が、前記網袋支持枠の外面に密着する先端壁部を有し、該先端壁部より突設された係止突起を前記網袋支持枠の周壁部に２つ以上設けられた縦長小孔に差し込み、かつ、上方にスライドされることにより該縦長小孔にロックした状態で、前記網袋支持枠を水平に支持するように設けられていることが好ましい。
さらに、本考案は、前記網袋支持枠に被さる蓋を備えていることが好ましい。さらに、前記蓋が、前記網袋支持枠に対して取り外し自在かつ揺動開閉自在に設けられていることが好ましい。
【考案の効果】
【０００８】
本考案によれば、使い捨ての網袋をその開口を開いた状態に張ること及び取り外しを容易に行うことができて、シンクの三角コーナに替る生ごみ投入具として、また、風呂場で髪の毛その他のごみを入れる生ごみ投入具として、さらに、風呂場で石鹸を入れてぶら下げておき網袋の外から石鹸を使用する石鹸収容網具として、適用することができて、部品点数が少なく頑丈な構造で、金型製作が容易な形状であり量産性を有し製造コストを低廉に抑えられ、使用に際しては、ヌメリが生じにくく、長期間使用しても網袋の開口を水平面内に保持できる、バスケット形容器を提供することができる。
【考案を実施するための最良の形態】
【０００９】
以下に、本考案の実施の形態に係るバスケット形容器を図面を参照して説明する。
〔第１の実施の形態〕
図１（ａ）に示すように、この実施の形態に係るバスケット形容器１Ａは、網袋１０を支持する短円筒の網袋支持枠２０Ａと、一端を網袋支持枠２０Ａに連結され網袋支持枠２０Ａをほぼ水平に支持する支持部３０Ａと、支持部３０Ａの他端に連結された吸盤４０Ａと、網袋支持枠２０Ａに被さる蓋５０Ａを備えてなる。
【００１０】
図１（ｂ）に示すように、このバスケット形容器１Ａは、網袋支持枠２０Ａに支持部３０Ａを連結し、支持部３０Ａの他端に連結された吸盤４０Ａを固定側（シンク側面あるいは浴室壁面等）Ｗに吸着させて、網袋支持枠２０Ａをほぼ水平に支持する。図１（ｃ）に示すように、網袋支持枠２０Ａに網袋１０を張り、取り外し可能な蓋５０Ａを必要に応じて被せる構成である。
【００１１】
この実施の形態に係るバスケット形容器１Ａは、シンクの三角コーナに替る生ごみ投入具として、また、風呂場で髪の毛その他のごみを入れる生ごみ投入具として、さらに、風呂場で石鹸を入れてぶら下げておき網袋の外から石鹸を使用する石鹸収容網具として提供することができる。
【００１２】
網袋１０は、ポリエチレン、ポリプロピレン等のメッシュ状の合繊網を用いて製袋され、一端が開口になっている矩形の平袋形状であり、スーパーマーケット等で別途に購入可能な使い捨ての消耗品である。
【００１３】
図２（ａ）に示すように、網袋支持枠２０Ａは、短円筒の周壁部２１と、周壁部２１の上端に形成されたフランジ部２２と、周壁部２１の外面の周方向ほぼ等配置となる３箇所以上の複数箇所（ここでは、４箇所とした）に突設された縦リブ２３と、を有するプラスチック成形体である。周壁部２１は、下端が上端よりも若干小さくなっている抜き勾配に形成されている。
【００１４】
図２（ｃ）に示すように、縦リブ２３の下端には、網袋１０の網目に入り込み網袋１０を係止する尖端部２３ａが形成されている。説明すると、網袋支持枠２０Ａの内側に網袋１０を入れ、網袋１０の開口を開き開口端をフランジ部２２の上面に広げ載フランジ部２２の外側で下方へ引き下げ、下方へ下げた開口端近傍を４つの縦リブ２３の尖端部２３を掛けてから網袋１０の下部を引き戻すことにより、縦リブ２３の尖端部２３ａで網袋１０の網目に入り込み網袋１０を係止することができる。フランジ部２２は、網袋１０の開口を綺麗に広げた状態を保持する機能を有し、また周壁部２１の上端を鋭利で尖った状態で終わらせず滑らかに仕舞い込んでいる。
【００１５】
周壁部２１の内径は、例えば約１５ｃｍ〜１８ｃｍ程度であることが好適であり、また周壁部２１の丈は、例えば約３ｃｍ〜５ｃｍであることが好適である。網袋１０は、網目が周方向にならない程度に網袋１０の入口を広げたときの周方向の長さが網袋支持枠２０Ａのフランジ部２２の外周の長さと等しくなるものが選択される。
【００１６】
この実施の形態に係る網袋支持枠２０Ａは、図２（ａ）に示すように、周壁部２１の一側（支持部３０Ａにより支持される部分）が肉厚部２５となっていて、この肉厚部２５に周方向に離隔した２つの小孔（円孔）２６，２６を有する。
【００１７】
支持部３０Ａは、二股状のヒンジ部３１と、ヒンジ部３１に対してピン連結により両端支持されかつ両面を固く挟圧され旋回可能なピボット軸３３と、ヒンジ部３１より網袋支持枠２０Ａ側へ一体に伸びている二股フック３２とからなる。二股フック３２は、左右に大きく開いて傾斜下降した二股部３２ａと、二股部３２ａの各下端より延在し垂直面内に円弧状に彎曲した２つのフック部３２ｂとからなり、フック部３２ｂの先端３２ｂ’を、前記の網袋支持枠２０Ａの周壁部の２つの小孔２６，２６に差し込んで網袋支持枠２０Ａを支持するように構成されている。
この場合、フック部３２ｂの先端３２ｂ’を網袋支持枠２０Ａの周壁部２１の内周面に密着させたときに、フック部３２ｂが小孔２６，２６に完全嵌合状態となり、かつ、網袋支持枠２０Ａの上端がほぼ水平となり、重力モーメント作用により前側へ下降しようとする網袋支持枠２０Ａを支持部３０Ａが４点支持するようになっていると、網袋支持枠２０Ａを長期間にわたりほぼ水平に保つことができるので好ましい。
【００１８】
吸盤４０Ａは、支持部３０Ａのヒンジ部３１を一体に支持する硬質肉厚で撓まないカップ状のカバー４１と、カバー４１に背面を固定された吸盤本体４２とからなる。吸盤本体４２は、直径が約５ｃｍ〜７ｃｍ程度であることが望ましい。
【００１９】
図３（ａ）、（ｂ）に示すように、蓋５０Ａは、上面部５１と、垂下周壁部５２と、ヒンジ部５３と、摘み５４と細長矩形開口５５を有してなる。ヒンジ５３は、網袋支持枠２０の軸受部２４に被さる覆い部５３ａと、覆い部５３ａに両端支持される軸部５３ｂとからなる。垂下周壁部５２は、フランジ部２２と干渉しないように、平面視形状が○形でなくＣ形になっている。図１に示すように、細長矩形開口５５には、鍋やフライパン、あるいはどんぶりやご飯茶わんの内面にこびり付いた異物を掻き落とすための掻き具Ｈを差し込めるようになっている。
【００２０】
この実施の形態に係るバスケット形容器１Ａは、吸盤４０を介してシンク側面あるいは浴室壁面等に取り付け（図１（ｂ）、図２（ａ）参照）、網袋１０を張った後に、蓋５０Ａを持ち上げて網袋支持枠２０Ａのフランジ部２２に被せると、ヒンジ部５３が網袋支持枠２０Ａの軸受部２４に係合する（図１（ｃ）、図２（ｂ）参照）。
【００２１】
使い捨ての網袋１０は、蓋５０Ａを持ち上げ、蓋５０Ａを取り外して、フランジ部２２上に形成された二山状の軸受部２４に被せることができる（図１（ｃ）、図２（ｂ）参照）。その後、蓋５０Ａを網袋支持枠２０Ａのフランジ部２２に被せると、蓋５０Ａに設けた軸部５３ｂが網袋１０を挟んで軸受部２４に係合する。この状態で、蓋５０Ａを使用時に開ける際は、摘み５４を掴んで、図４において、二点鎖線で示すように揺動して開閉する。
【００２２】
この実施の形態に係るバスケット形容器１Ａは、網袋支持枠２０Ａと支持部３０Ａとを別々の金型により成形する構成であり、部品点数が少なく頑丈な構造で、金型製作が容易な形状であり量産性を有し製造コストを低廉に抑えられる。
【００２３】
この実施の形態に係るバスケット形容器１Ａは、使い捨ての網袋をその開口を開いた状態に張ること及び取り外しを容易に行うことができて、シンクの三角コーナに替る生ごみ投入具として、また、風呂場で髪の毛その他のごみを入れる生ごみ投入具として、さらに、風呂場で石鹸を入れてぶら下げておき網袋の外から石鹸を使用する石鹸収容網具として、適用できる。網袋は、いっぱいになれば取り外して新しいものに付け替える。使用に際しては、水切れが良く乾燥するので、網袋１０と網袋支持枠２０Ａと支持部３０Ａにヌメリが生じにくくなり、シンクもヌメリが生じにくくなる。網袋支持枠２０Ａは支持部３０Ａから容易に分離できるので容易に洗浄できる。シンクの三角コーナに替る生ごみ投入具として使用するときは、ショウジョウ蝿が入らないように蓋５０Ａを被せる。蓋５０Ａは、網袋にかかわらず取り外し可能であるので、網袋の着脱を容易に行えるから使い勝手が良い。
また、この実施の形態に係るバスケット形容器１Ａは、網袋支持枠２０Ａに網袋１０を張り、この網袋支持枠２０Ａを支持部３０Ａに引っ掛けないでシンクの排水孔内に取り付けることもできる。
【００２４】
〔第２の実施の形態〕
図５に示すように、この実施の形態に係るバスケット形容器１Ｂは、網袋１０を支持する網袋支持枠２０Ｂと、一端を網袋支持枠２０Ｂに連結され網袋支持枠２０Ｂを支持する支持部３０Ｂと、支持部３０Ｂの他端に連結された吸盤４０Ｂと、網袋支持枠２０Ｂに被さる蓋５０Ｂを備え、吸盤４０Ｂを固定側（シンク側面あるいは浴室壁面等）Ｗに吸着させて、網袋支持枠２０Ｂをほぼ水平に支持する。
【００２５】
図６（ａ）、（ｂ）に示すように、網袋支持枠２０Ｂは、短円筒の周壁部２１と、周壁部２１の上端に形成されたフランジ部２２と、周壁部２１の外面の周方向ほぼ等配置となる３箇所以上の複数箇所（ここでは、４箇所とした）に突設された縦リブ２３と、を有するプラスチック成形体である。縦リブ２３の下端には、網袋１０の網目に入り込み網袋１０を係止する尖端部２３ａが形成されている。軸受部２４Ｂは、フランジ部２２の外方に設けられ、蓋５０Ｂに設けられるヒンジ部５３Ｂは、軸受部２４Ｂに対して着脱自在に係合される（図５参照）。
この実施の形態に係るバスケット形容器１Ｂの網袋１０を支持する網袋支持枠２０Ｂと吸盤４０Ｂは、第１の実施の形態に係るバスケット形容器１Ａの対応する構成要素と同一又はほぼ同一であり、この実施の形態に係るバスケット形容器１Ｂの支持部３０Ｂと蓋５０Ｂは、第１の実施の形態に係るバスケット形容器１Ａの支持部３０Ａと蓋５０Ａと若干相違している。
【００２６】
この実施の形態に係るバスケット形容器１Ｂによれば、網袋支持枠２０Ｂは、周壁部２１の一側（支持部３０Ａにより支持される部分）の厚肉部２５に上下左右配置に４つの縦長小孔２６Ｂ，２６Ｂ，・・を有する。４点支持のために、縦長小孔２６Ｂの数が、第１の実施の形態の小孔２６に比べて２つ多い。
【００２７】
この実施の形態に係るバスケット形容器１Ｂによれば、支持部３０Ｂは、基端を吸盤４０Ｂのカップ状のカバー４１に一体に固着され水平に延びる支持軸３４と、該支持軸３４の網袋支持枠２０側の端部に設けられ周壁部２１の厚肉部２５の外面に密着する先端壁部３５と、先端壁部３４の密着面に突設された４つの係止突起３６，３６，・・とを有してなる。係止突起３６，３６，・・には、先端にロック部３６ａを有する（図６（ａ）、（ｂ）参照）。
【００２８】
従って、４つの係止突起３６，３６，・・を網袋支持枠２０Ｂの厚肉部２５に２つ以上設けられた４つの縦長小孔２６Ｂ，２６Ｂ，・・に差し込み、かつ、上方に相対スライドされると、厚肉部２５の外面に先端壁部３５が密着するとともに、４つの係止突起３６，３６，・・が４つの縦長小孔２６Ｂ，２６Ｂ，・・にロックした状態となり、支持部３０Ｂが網袋支持枠２０Ｂを水平に堅固に連結支持することができる（図５、図６（ａ）、（ｂ）参照）。
【００２９】
この実施の形態に係るバスケット形容器１Ｂの他の部分は、第１の実施の形態に係るバスケット形容器１Ａの対応する構成部分と同一なので説明を省略する。また、この実施の形態に係るバスケット形容器１Ｂによれば、第１の実施の形態に係るバスケット形容器１Ａと同一の作用効果を有するものであり、説明は省略する。
【００３０】
本考案は、上記の実施の形態に限定されるものではなく、要旨を逸脱しない限度で種々の設計変更や工程の変更が可能であり、そのような変更を技術的範囲に含むものである。
例えば、上記の第１、第２の実施の形態では、周壁部２１について、短円筒に形成されている構成としたが、丈が短い三角筒、四角筒、楕円筒等であっても良い。周壁部２１には抜き勾配を設けることが望ましい。また、上記の第１、第２の実施の形態では、周方向にほぼ等配置となるように４つの縦リブ２３を設ける構成としたが、周方向にほぼ等配置となるように３つ備えていれば網袋１０を開いた状態に張れるので足りる。
【図面の簡単な説明】
【００３１】
【図１】第１の実施の形態に係り、（ａ）は、バスケット形容器の閉蓋状態を示す斜視図、（ｂ）はバスケット形容器の蓋を取り外した状態を示す斜視図、（ｃ）は、バスケット形容器の蓋と網袋を取り外した状態を示す斜視図である。
【図２】（ａ）は、図１のバスケット形容器の蓋と網袋を取り外した状態を示す平面図である。（ｂ）は、（ａ）のバスケット形容器の分解・組立を説明するための縦断正面図、（ｃ）は、（ｂ）における詳細側面図である。
【図３】（ａ）は図１のバスケット形容器の蓋の平面図、縦断正面図である。
【図４】図１のバスケット形容器の使用状態を示す縦断正面図である。
【図５】第２の実施の形態に係り、バスケット形容器の閉蓋状態を示す縦断正面図である。
【図６】（ａ）は図５のバスケット形容器の蓋と網袋を取り外した状態を示す平面図、（ｂ）は（ａ）のバスケット形容器の分解・組立を説明するための平面図である。
【符号の説明】
【００３２】
１Ａ，１Ｂ  バスケット形容器
１０  網袋１０
２０Ａ、２０Ｂ  網袋支持枠
２１  周壁部
２２  フランジ部
２３  縦リブ
２３ａ  尖端部
２５  肉厚部
２６  小孔
２６Ｂ  縦長小孔
３０Ａ、３０Ｂ  支持部
３１  ヒンジ部
３３  ピボット軸
３２  二股フック
３２ａ  二股部
３２ｂ  フック部
３２ｂ’  先端
３４  支持軸３４
３５  先端壁部
３６  係止突起
３６ａ  ロック部
４０Ａ、４０Ｂ  吸盤
４１  カバー
４２  吸盤本体
５０Ａ、５０Ｂ  蓋
５１  上面部
５２  垂下周壁部
５３  ヒンジ部
５３ａ  覆い部５
５３ｂ  軸部
５３Ｂ  ヒンジ部
５４  摘み
５５  細長矩形開口
Ｈ  掻き具
【図１】
0003143331.tif 000003
【図２】
0003143331.tif 000004
【図３】
0003143331.tif 000005
【図４】
0003143331.tif 000006
【図５】
0003143331.tif 000007
【図６】
0003143331.tif 000008